(57)【要約】【課題】２色成形グリップ構成において、グリップを握った時の異音発生を防止し、グリップの剛性があるカメラを提供すること。【解決手段】カメラを把持するためのグリップにおいて、グリップは外装筐体に対して、外装筐体の内側から少なくとも２つ以上の結合部によって一体に結合され、グリップには少なくとも１つの外装筐体と係合する係合部を有し、係合部は、第１と第２の結合部の間に位置し、弾性変形可能な突起部であり、外装筐体の一面と、係合部は互いに対向する面で係合し、カメラを把持した時は、係合部は、外装筐体を付勢することを特徴とする。【選択図】図３
2018189670.tif 000002
【特許請求の範囲】
【請求項１】
ユーザーがカメラを把持するためのグリップにおいて、
前記グリップは外装筐体に対して、前記外装筐体の内側から少なくとも２つ以上の結合部によって一体に結合され、
前記グリップには少なくとも１つの前記外装筐体と係合する係合部を有し、
前記係合部は、前記第１と第２の結合部の間に位置し、弾性変形可能な突起部であり、
前記外装筐体の一面と、前記係合部は互いに対向する面で係合し、
カメラを把持した時は、前記係合部は、前記外装筐体を付勢することを特徴とするカメラ。
【請求項２】
前記グリップは弾性部材と樹脂部材の二色成形で構成されている請求項１に記載のカメラ。
【請求項３】
前記グリップの前記弾性部材は、前記外装筐体と当接する凸部を有する請求項１に記載のカメラ。
【請求項４】
前記グリップは、コンデンサを収納する空間を有する請求項１に記載のカメラ。
【請求項５】
前記グリップは、少なくとも一つの突起部を有し、前記突起部は、カメラに組み込むと、前記グリップの組み込み方向に平行して、外装筐体と重なることを特徴とする請求項１に記載のカメラ。
【発明の詳細な説明】
【技術分野】
【０００１】
本発明は、カメラに関し、二色成形のグリップ部を有するカメラに関する。
【背景技術】
【０００２】
レンズ交換式デジタル一眼レフカメラなどのグリップ部はホールド時の感触をよくするために従来からゴムなどの弾性ラバーを外装筺体に両面テープで張り付ける構成となっている。また、大型の望遠レンズを取り付けた状態でもしっかりとホールドできるように外装筺体のグリップ部は高い剛性が求められており、本体シャーシに外装筺体のグリップ部を外側からビス締結し、弾性ラバーによってビスを隠す構成となっている。
【０００３】
しかしながら、弾性ラバーは経年により変形や剥がれが起きてしまう場合がある。
【０００４】
そこで、特許文献１にて弾性部材と樹脂部材の二色成形により弾性部材の変形や剥がれを抑制することができるグリップが提案されている。
【０００５】
また、小型化に伴う強度確保の観点から、金属製のカバーが採用されていて、グリップ部は形状が複雑のため、特許文献２には、グリップ部などの、成型が困難な形状を複数に分割して保持する提案がなされている。
【先行技術文献】
【特許文献】
【０００６】
【特許文献１】特開２００４−１１７８５９号公報
【特許文献２】特開２００３−３１５８８６号公報
【発明の概要】
【発明が解決しようとする課題】
【０００７】
しかし、上述の従来技術の二色成形によるグリップ構成は、外装筺体と本体シャーシを締結する前にグリップを外装筺体とビスで筺体内側から締結するため、外装筺体のグリップ部と本体シャーシをビスで締結できない構成となる。そのため、グリップ部の剛性が低下してしまう問題がある。グリップ部の剛性が低下すると、ユーザーがカメラをホールドした時にグリップ部が変形し、外装筐体などと擦れて、異音が発生する。
【０００８】
また、特許文献２では、複数の外装筐体を結合して一体とする構成のカメラが提案されている。ここでは、外装筐体は第１の結合面と、第１の結合面と直行する方向の第２の結合面で結合されるため、どのような方向の外力を受けても、結合状態を保持できる。しかし、外装材料は金属を前提で提案されているため、プラスチック成型の外装の場合は、剛性が低下してしまう問題がある。
【０００９】
そこで、本発明の目的は、二色成形グリップを有する構成においてグリップ部の剛性を向上させることができるカメラを提供することにある。
【課題を解決するための手段】
【００１０】
上記の目的を達成するために、本発明に係るカメラは、
ユーザーがカメラを把持するためのグリップにおいて、グリップは外装筐体に対して、外装筐体の内側から少なくとも２つ以上の結合部によって一体に結合され、グリップには少なくとも１つの外装筐体と係合する係合部を有し、係合部は、第１と第２の結合部の間に位置し、弾性変形可能な突起部であり、外装筐体の一面と、係合部は互いに対向する面で係合し、カメラを把持した時は、係合部は、外装筐体を付勢することを特徴とする。
【発明の効果】
【００１１】
本発明によれば、２色成形グリップ構成において、グリップを握った時の異音発生を防止し、グリップの剛性があるカメラを提供することができる。
【図面の簡単な説明】
【００１２】
【図１】（ａ）は本発明に適用できるカメラ１の一例の正面斜視図である。（ｂ）は本発明に適用できるカメラ１の一例の背面斜視図である。
【図２】本発明に適用できるカメラ１の一例の分解図である。
【図３】本発明に適用できるカメラ１のフロントカバーユニットの背面図である。
【図４】本発明に適用できるカメラ１のグリップ部の断面図である。
【図５】本発明に適用できるカメラ１のグリップ部を拡大して示した図である。
【発明を実施するための形態】
【００１３】
以下に、本発明の好ましい実施の形態を、添付の図面に基づいて詳細に説明する。
【実施例１】
【００１４】
まず、図１を参照して、本発明の第１の実施例の主な構成を説明する。図１はカメラ１の外観図を示したもので、（ａ）は正面斜視図、（ｂ）は背面斜視図をそれぞれ示している。なお本実施形態においてはデジタル一眼レフカメラを例示して説明するが、本発明の構成のカメラに限定されるものではなく、種々の変更が可能である。
【００１５】
図１に示すカメラのトップカバー３７には、主電源スイッチを含む、撮影モードを切り替える、撮影モードダイヤル２９が設けられている。撮影モードダイヤルを各撮影モードへ回転操作することで、カメラは起動する。そして、レリーズ釦１２を押すことで、撮影し、画像を記録する。また、カメラの背面には、各種ボタン１７が配置され、カメラの設定や画像再生時に用いて操作を行う。また、ビューファインダー４や液晶表示装置１８が配置されている。
【００１６】
つぎに本発明の特徴である二色成形グリップのカメラの構成について図２〜５の二色成形グリップを設けたカメラ１の構成概略図を用いて説明する。
【００１７】
まず図２はカメラ１の分解構成図であり、カメラ１の前面側に設けられたフロントカバー３４は、本体シャーシ３３に取り付けられる。フロントカバー３４のグリップ部は、軽量化や薄型化のため、フロントカバーを切り欠いて、切り抜いた範囲３４ａ（点線部）にグリップ３５を別体で取り付けている。グリップ３５は、弾性部材３５ａと樹脂部材３５ｂの２色成形で構成されており、ユーザーが握る表面側に弾性部材３５ａを配置している。グリップ３５の弾性部材３５ａの材質は樹脂との密着性がよい、例えばエラストマーなどである。
【００１８】
図３に示すように、グリップ３５はフロントカバー３４の内側から、ビス４０ａ、４０ｂ、４０ｃで締結し、一体のフロントカバーユニットとなる。この時、グリップ３５とフロントカバー３４の位置は、グリップ３５から突出したリブ４１ａ、４１ｂが、フロントカバー３４に設けられた穴に挿入することで、位置が決まる。そして、フロントカバーユニットとして、本体シャーシ３３に取り付けられ、外観側からビスで固定される。グリップ３５は、樹脂部材３５ｂの突出した係合爪４５を有し、係合爪４５は、グリップ３５とフロントカバー３４を締結するビス４０ａとビス４０ｂの間の位置に設けられている。
【００１９】
図４には、係合爪４５を含むフロントカバーユニット状態でのグリップ３５のＡ−Ａ断面図を示す。
【００２０】
係合爪４５はフロントカバー３４にグリップ３５を挿入する際、先端が外側に広がるように変形し、挿入後に元の状態に復帰する。そして、係合爪４５の係り代４５ａは、フロントカバー３４の一面３４ａと互いに対向する面で係合する。ユーザーがカメラのグリップ部を把持する際、係合爪４５はフロントカバー３４の接触面を押す方向（矢印Ｂ方向）にフロントカバー３４を付勢する力が働く。そして、グリップ３５の変形をフロントカバーに逃がすことで、グリップ３５の変形を抑制し、グリップ３５を外観からビスを止めなくても、グリップ３５の剛性を強くすることが出来る。ここで、係合爪４５は、変形した時に折れないように、厚さや幅、長さが決定されている。
【００２１】
また、係合爪４５は挿入される側の先端部に面取り４５ｂを施すことで、フロントカバー３４への挿入が容易になる。フロントカバー３４も、グリップ３５を挿入する時に接触するフロントカバー３４の面にも、面取り３４ｂを施しても良い。本実施形では係合爪４５は１箇所であるが、複数あっても良い。
【００２２】
図５は、グリップ３５を拡大して示した図である。
【００２３】
グリップ３５の弾性部材３５ａからは複数か所の突起４６ａ、４６ｂ、４６ｃ、４６ｄが出ており、この突起先端は、フロントカバー３４と互いに対向する面で接触する。本実施例では、ビス座４０ａ、４０ｂと略平行の面に突起４６ａ、４６ｂ、４６ｃを３つ、略垂直の面に突起４０ｄを一つ設けている。これによって、グリップ３５が変形した場合も、フロントカバー３４と突起部４６ａ、４６ｂ、４６ｃ、４６ｄで接触しているため、変形を防止する。そして、樹脂部材３５ｂとフロントカバー３４が擦れて、異音が発生するのを防ぐことが出来る。
【００２４】
グリップ３５の内側には、複数の補強用のリブ４７が設けられている。そして、補強用のリブに囲まれた、グリップのＲ先端の突起部の内側には、コンデンサ５０を収納する空間４９（点線部）を有する。コンデンサ５０は図２のように端子を下に基盤（不図）に半田付けされている。そして、補強用のリブ４７の内一つ４７ａは、コンデンサの先端付近に設けられ、横からの衝撃でコンデンサ５０が変形し、倒れた時のストッパーになる。
【００２５】
また、グリップ３５は、樹脂部材３５ｂの少なくとも一つ以上のグリップの浮き防止の突起部４８ａ、４８ｂを有している。浮き防止の突起形状は、グリップを外装カバーに組み込む際の組み込み方向と平行に伸びた突起ある。例えば本実施例では、グリップ３５の側面部の上端と下端にそれぞれ突起部を設けている。下端の突起部４８ａは、長方形のリブであり、フロントカバー３４に設けられた穴（不図示）に差し込むことで、フロントカバー３４の下に入り、グリップ３５の浮きを防止する。また、上端の突起部４８ｂは、グリップ３５がフロントカバーユニットとしてカメラに組みこむことで、トップカバー３７の下に潜りこむ。そして、グリップ３５の浮きを防止する。
【００２６】
以上のように、本発明によれば、二色成形グリップ構成において、グリップの剛性があるカメラを提供することができる。
【符号の説明】
【００２７】
１  カメラ、３４  外装筐体（フロントカバー）、３５  グリップ、
３５ａ  グリップの弾性部材、３５ｂ  グリップの樹脂部材、
４０ａ，４０ｂ，４０ｃ  結合部（ビス）、４５  係合部、
４６ａ，４６ｂ，４６ｃ，４６ｄ  グリップの弾性部材の凸部、
５０  コンデンサ
【図１】
2018189670.tif 000003
【図２】
2018189670.tif 000004
【図３】
2018189670.tif 000005
【図４】
2018189670.tif 000006
【図５】
2018189670.tif 000007